(57)【要約】【課題】注出口を鉛直方向の下向きに配置して内容液を皮膚に注出した後に注出口を斜め下または横に向けた際の液垂れが防止されたブラシ付き塗布容器を提供する。【解決手段】本発明のブラシ付き塗布容器１は、内容液が収容される容器本体１０と、容器本体１０の上端に取り付けられ、容器本体１０を倒立した際に内容液を注出する注出部２０と、注出部２０を囲うように立設された刷毛束３０とを具備し、刷毛束３０は、その先端が注出部２０の先端よりも先方に位置し、且つ注出部２０の側面２０ｂの上端に接触している。【選択図】図１
2011167389.tif 000002
【特許請求の範囲】
【請求項１】
内容液が収容される容器本体と、該容器本体の上端に取り付けられ、容器本体を倒立した際に内容液を注出する注出部と、該注出部を囲うように立設された刷毛束とを具備し、
前記刷毛束は、その先端が前記注出部の先端よりも先方に位置し、且つ前記注出部の側面の上端に接触していることを特徴とするブラシ付き塗布容器。
【請求項２】
前記刷毛束の外方には、該刷毛束の下部を囲うように液垂れ防止壁が立設されていることを特徴とする請求項１に記載のブラシ付き塗布容器。
【請求項３】
前記刷毛束を構成する刷毛は、先端に向かって漸次細くなっていることを特徴とする請求項１または２に記載のブラシ付き塗布容器。
【発明の詳細な説明】
【技術分野】
【０００１】
本発明は、容器本体から内容液を注出しつつ皮膚等に塗布する際に使用されるブラシ付き塗布容器に関する。
【背景技術】
【０００２】
頭皮等の皮膚に育毛剤等の薬液を塗布する際には、ブラシ付きの塗布容器を用い、該容器から薬液を皮膚に注出させながらブラシによって皮膚を擦ってマッサージすることがある。
ブラシ付きの塗布容器としては、例えば、特許文献１に、内容液が充填される容器本体と、容器本体の上端に取り付けられた注出部とを有し、注出部の上面に内容液を注出する注出孔が形成され、注出部の注出孔の周囲に複数の刷毛が突設されているものが提案されている。
特許文献２には、内容液が充填される容器と、内容液を塗布する塗布具とを具備し、塗布具が、多数の刷毛が立設された凹曲面状の支持部と、該支持部の中央にて立設され、内容液を注出する注出口が上面に形成された注出筒とを備え、刷毛が中央に向かって傾斜しているものが提案されている。
【先行技術文献】
【特許文献】
【０００３】
【特許文献１】特開平１０−５２３２１号公報
【特許文献２】特許第４１０８３８４号公報
【発明の概要】
【発明が解決しようとする課題】
【０００４】
しかしながら、特許文献１，２に記載のブラシ付きの塗布容器では、注出口を鉛直方向の下向きに配置して内容液を皮膚に注出した後に注出口を斜め下または横に向けると、内容液が塗布容器から垂れてくることがあった。
そこで、本発明は、注出口を鉛直方向の下向きに配置して内容液を皮膚に注出した後に注出口を斜め下または横に向けた際の液垂れが防止されたブラシ付き塗布容器を提供することを目的とする。
【課題を解決するための手段】
【０００５】
［１］内容液が収容される容器本体と、該容器本体の上端に取り付けられ、容器本体を倒立した際に内容液を注出する注出部と、該注出部を囲うように立設された刷毛束とを具備し、
前記刷毛束は、その先端が前記注出部の先端よりも先方に位置し、且つ前記注出部の側面の上端に接触していることを特徴とするブラシ付き塗布容器。
［２］前記刷毛束の外方には、該刷毛束の下部を囲うように液垂れ防止壁が立設されていることを特徴とする［１］に記載のブラシ付き塗布容器。
［３］前記刷毛束を構成する刷毛は、先端に向かって漸次細くなっていることを特徴とする［１］または［２］に記載のブラシ付き塗布容器。
【発明の効果】
【０００６】
本願請求項１に係る発明のブラシ付き塗布容器は、注出口を鉛直方向の下向きに配置して内容液を皮膚に注出した後に注出口を斜め下または横に向けた際の液垂れが防止されている。
本願請求項２に係る発明のブラシ付き塗布容器においては、注出口を鉛直方向の下向きに配置して内容液を皮膚に注出した後に注出口を斜め上に向けた際の液垂れも防止されている。
本願請求項３に係る発明のブラシ付き塗布容器においては、刷毛束で皮膚を擦る際に刷毛束の毛先が毛穴の内部に入り込みやすいため、毛穴汚れ除去効果が高い。
【図面の簡単な説明】
【０００７】
【図１】本発明のブラシ付き塗布容器の一実施形態を示す縦断面図である。
【図２】図１に示すブラシ付き塗布容器の使用方法を説明する縦断面図である。
【図３】図１に示すブラシ付き塗布容器の使用方法を説明する縦断面図である。
【図４】本発明のブラシ付き塗布容器の他の実施形態を示す縦断面図である。
【図５】本発明のブラシ付き塗布容器の他の実施形態を示す縦断面図である。
【図６】実施例２のブラシ付き塗布容器を示す縦断面図である。
【図７】比較例１の容器を示す縦断面図である。
【図８】比較例２のブラシ付き塗布容器を示す縦断面図である。
【発明を実施するための形態】
【０００８】
本発明のブラシ付き塗布容器の一実施形態について説明する。
図１に、本実施形態のブラシ付き塗布容器を示す。このブラシ付き塗布容器１は、内容液が充填される容器本体１０と、容器本体１０の上端に取り付けられた注出部２０と、注出部２０を囲うように立設された刷毛束３０と、刷毛束３０が植毛された植毛部４０とを具備する。
【０００９】
（容器本体）
本実施形態で使用される容器本体１０は、内容液が収容されるものであり、胴部１１と、胴部１１より上に配置された頸部１２とを有する。頸部１２の上端は開口しており、また、注出部２０の取り付けが可能になっている。
容器本体１０の材質としては、例えば、低密度ポリエチレン、直鎖状低密度ポリエチレン、高密度ポリエチレン、ポリプロピレン、ポリスチレン、ポリ塩化ビニル、ポリエチレンテレフタレート等の合成樹脂を用いることができる。
【００１０】
（注出部）
本実施形態における注出部２０は、容器本体１０の頸部１２の上端に取り付けられた外径一定の円筒体である。注出部２０の上面２０ｂには、容器本体１０を倒立した際に容器本体１０から内容液を注出させる注出口２１が形成されている。
注出部２０の材質としては、容器本体と同様の合成樹脂が挙げられる。
【００１１】
注出部２０は、注出口２１を下に向けた際に、所定時のみ内容液を注出させる弁機構５０を備える。
本実施形態における弁機構５０は、一端が注出口２１とされ、容器本体１０の内部と注出部２０の外部とを連通させる略直線状の内容液注出用貫通孔５１と、内容液注出用貫通孔５１に挿入され、内容液注出用貫通孔５１の長手方向に沿って移動可能な可動ロッド５２とを有する。
【００１２】
内容液注出用貫通孔５１は、長手方向に垂直な断面が円形状の孔であり、容器本体１０側の第１の孔５１ａと、注出部２０の外部側の第２の孔５１ｂと、第１の孔５１ａおよび第２の孔５１ｂの間に形成され、第１の孔５１ａおよび第２の孔５１ｂよりも孔径が大きい第３の孔５１ｃとから構成されている。第１の孔５１ａと第２の孔５１ｂの孔径は同等になっている。
各孔の孔径は、注出量に応じて適宜選択されるが、例えば、第１の孔５１ａおよび第２の孔５１ｂの孔径は１.５〜２.５ｍｍとされ、第３の孔５１ｃの孔径は２.５〜４.５ｍｍとされる。
各孔の長さについては、例えば、第１の孔５１ａの長さは５〜１０ｍｍとされ、第２の孔５１ｂの長さは７〜１５ｍｍとされ、第３の孔５１ｃの長さは３〜８ｍｍとされる。
【００１３】
可動ロッド５２は、少なくとも第２の孔５１ｂの内部に配置された円柱状のロッド本体部５２ａと、第３の孔５１ｃの内部に配置された円柱状の拡径部５２ｂとから構成されている。
ロッド本体部５２ａは、第２の孔５１ｂよりも長く、且つ、外径が第２の孔５１ｂの孔径よりも小さいものである。
拡径部５２ｂは、外径が第１の孔５１ａおよび第２の孔５１ｂの孔径よりも大きく、且つ、第３の孔５１ｃの孔径よりも小さいものである。
拡径部５２ｂの外径は第１の孔５１ａおよび第２の孔５１ｂの孔径よりも１〜２ｍｍ大きいことが好ましい。拡径部５２ｂの外径が第１の孔５１ａおよび第２の孔５１ｂの孔径よりも１ｍｍ以上大きければ、拡径部５２ｂによって第１の孔５１ａおよび第２の孔５１ｂを確実に塞ぐことができる。しかし、拡径部５２ｂの外径が第１の孔５１ａおよび第２の孔５１ｂの孔径よりも２ｍｍを超えて大きくても、第１の孔５１ａおよび第２の孔５１ｂを塞ぐ効果が向上することはなく、無益である。
拡径部５２ｂの外周面と第３の孔５１ｃの内周面との間隔は０．５〜１ｍｍであることが好ましい。拡径部５２ｂの外周面と第３の孔５１ｃの内周面との間隔が０．５ｍｍ以上であれば、拡径部５２ｂの外周面と第３の孔５１ｃの内周面との間に内容液を充分に通すことができ、拡径部５２ｂの外周面と第３の孔５１ｃの内周面との間隔が１ｍｍ以下であれば、内容液の過剰な注出を防止できる。
【００１４】
（刷毛束）
刷毛束３０は、多数本の刷毛が束ねられたものであり、その先端が注出部２０の先端である上面２０ｂよりも先方に位置している。また、本実施形態では、刷毛束３０が注出部２０の側面２０ａに接触している。したがって、刷毛束３０は注出部２０の側面２０ａの上端に接触している。
【００１５】
本実施形態例では、刷毛束３０を構成する刷毛として、先端に向かって漸次細くなる毛が用いられている。以下、「先端に向かって漸次細くなる毛」のことを「テーパー毛」という。テーパー毛を用いると、コシを有しているため、充分に皮膚を擦れる上に、先端が毛穴の内部に入り込みやすいため、毛穴汚れ除去効果が高くなる。
テーパー毛の最先端部の太さは１０〜３０μｍであることが好ましく、１５〜２５μｍであることがより好ましい。テーパー毛の最先端部の太さが３０μｍ以下であれば、皮膚を擦った際の毛穴汚れ除去効果がより高くなる。特に、頭皮を擦った場合には、テーパー毛の先端が毛穴の内部に容易に入り込んで頭皮の毛穴汚れをより除去し、毛穴に内容液を充分に浸透させることができる。テーパー毛の最先端部の太さが１０μｍ以上であれば、刷毛束３０を擦った際のマッサージ効果が高くなる。
また、テーパー毛のテーパーの程度は、テーパー毛の先端側にて長手方向の長さ３ｍｍに対して外径が１１０〜１７０μｍの範囲で変化することが好ましい。テーパー毛の先端側にて長手方向の長さ３ｍｍに対して外径が１１０μｍ以上変化すれば、先端部を細くしつつ根元部を太くできる。しかし、テーパー毛の先端側にて長手方向の長さ３ｍｍに対して外径が１７０μｍを超える範囲で変化すると、根元部が太くなりすぎて、刷毛として機能しなくなる傾向にある。
【００１６】
刷毛の長さは、刷毛束３０の先端が、注出部２０の上面２０ｂよりも３〜７ｍｍ先方に位置する長さであることが好ましい。刷毛束３０の先端が注出部２０の上面２０ｂよりも３ｍｍ以上先方に位置すれば、注出部２０が皮膚に接触することを充分に防止できる。一方、刷毛束３０の先端が、７ｍｍ以下の範囲で上面２０ｂより先方に位置すれば、刷毛束３０で皮膚を充分に擦ることができる。
刷毛束３０における刷毛は、植毛穴面積に対する刷毛の断面積の総和の割合が７０〜９０％の範囲で植毛穴に植毛されていることが好ましい。植毛穴面積に対する刷毛の断面積の総和の割合が７０％以上であれば、皮膚を充分に擦ることができ、また、刷毛束３０に内容液を充分に吸収させることができ、９０％以下であれば、刷毛が適度にばらけるため、刷掃性が向上する。
刷毛の材質としては、例えば、ポリエチレンテレフタレート、ポリブチレンテレフタレート、ポリアミド、ポリプロピレン、ポリエチレン等の合成樹脂が挙げられる。
【００１７】
（植毛部）
本実施形態例における植毛部４０は、注出部２０の側面２０ａより外側且つ容器本体１０側に、注出部２０と同心円状に設けられている。植毛部４０は、刷毛束３０が植毛された植毛面４１を有している。
植毛部４０の材質は、注出部２０と同じであってもよいし、異なってもよい。
【００１８】
本実施形態例においては、植毛面４１の外側の縁部には、刷毛束３０の下部を囲うように、注出部２０よりも低い液垂れ防止壁４２が立設されている。このように設けられた液垂れ防止壁４２により、注出口２１を斜め上に向けた際に、刷毛束３０に沿って流下した内容液を堰き止めることができるため、液垂れを防止できるようになっている。
液垂れ防止壁４２の高さは０.５〜２ｍｍであることが好ましく、１〜１.５ｍｍであることがより好ましい。液垂れ防止壁４２の高さは０.５ｍｍ以上であれば、注出口２１を斜め上に向けた際の液垂れをより防止でき、２ｍｍ以下であれば、刷毛束３０を動きやすくでき、刷毛束３０としての機能をより発揮できる。
【００１９】
（使用方法）
本実施形態のブラシ付き塗布容器１の使用方法の一例について説明する。本使用例は、育毛剤からなる内容液を頭皮に塗布する例である。
すなわち、本使用例では、まず、ブラシ付き塗布容器１を倒立させて注出口２１を下向きにし、注出口２１を頭皮に近づけ、刷毛束３０の先端を頭皮に接触させる。このとき、図２に示すように、ロッド本体部５２ａの先端側の一部が第２の孔５１ｂから突出すると共に、拡径部５２ｂのロッド本体部５２ａ側の面５２ｄが第３の孔５１ｃの第２の孔５１ｂ側の面５１ｅに当接して、第２の孔５１ｂを塞ぐ。そのため、注出口２１が下向きになっているにもかかわらず、育毛剤は容器本体１０から注出しない。
次いで、ブラシ付き塗布容器１をさらに頭皮に近づけ、図３に示すように、注出口２１から突出したロッド本体部５２ａを頭皮に押し当てて第２の孔５１ｂに少し押し戻す。これにより、拡径部５２ｂを第３の孔５１ｃの第２の孔５１ｂ側の面から離し、第２の孔５１ｂと第３の孔５１ｃとを連通させ、内容液注出用貫通孔５１を介して、容器本体１０に収容された育毛剤を頭皮に注出する。また、育毛剤の注出と共に、刷毛束３０を頭皮に擦ることによって、頭皮をマッサージして血流を高めると共に毛穴汚れを除去して育毛剤を毛穴に浸透しやすくする。
次いで、ブラシ付き塗布容器１を頭皮から引き離して、頭皮からロッド本体部５２ａを引き離し、拡径部５２ｂを第３の孔５１ｃの第２の孔５１ｂ側の面５１ｅに当接させて、第２の孔５１ｂを塞いで育毛剤の注出を停止する。
育毛剤の塗布位置を変えつつ、上記のような育毛剤の頭皮への注出、刷毛束３０による頭皮の擦りを繰り返して、育毛剤を頭皮の内部に染みこませる。
【００２０】
上記のように注出口２１から内容液を注出させた後には、注出部２０の上面２０ｂに内容液が残留していることが多い。そのため、一時的に育毛剤の塗布を中断するため、または、育毛剤の塗布を終了するために注出口２１を斜め下または横に向けると、注出部２０の上面２０ｂに残留していた内容液が上面２０ｂを伝って下方に流れる。ここで、注出部２０の側面２０ａの上端に刷毛束３０が接触する本実施形態のブラシ付き塗布容器１においては、注出口２１を斜め下または横に向けた際には、刷毛束３０が、上面２０ｂに沿って下方に流れた内容液を受け止める配置になる。刷毛束３０は刷毛同士の間に空隙部を多く有するため、液吸収性に優れる。したがって、上面２０ｂに沿って下方に流れた内容液を刷毛束３０により捕捉し、吸収させて保持することができる。よって、注出口２１を斜め下または横に向けた際に内容液がブラシ付き塗布容器１から垂れ落ちることを防止できる。
さらに、注出口２１を斜め上に向けた際にも、上面２０ｂに残留していた内容液が側面２０ａを伝って下方に流れるが、本実施形態では、刷毛束３０の下部を囲うように液垂れ防止壁４２が設けられているため、側面２０ａを伝って流れた内容液を液垂れ防止壁４２によって堰き止めることができる。したがって、注出口２１を斜め上に向けた際にもブラシ付き塗布容器１から内容液が垂れ落ちることを防止できる。
塗布終了後、注出口２１を上に向けると、可動ロッド５２が容器本体１０側に移動して、図１に示すように、拡径部５２ｂの端面５２ｃが第３の孔５１ｃの第１の孔５１ａ側の面５１ｄに当接するため、第１の孔５１ａを塞ぎ、容器本体１０を密封するようになる。
【００２１】
（他の実施形態例）
なお、本発明は、上記実施形態例に限定されない。
例えば、注出部２０は外径が一定の円筒状でなくてもよく、図４に示すように、上端部２０ｄ以外の部分は刷毛束３０に接触しない円筒状で、上端部２０ｄの側面２０ａのみが刷毛束３０に接触するように外径が大きくされた形状であってもよい。また、注出部２０は、図５に示すように、容器本体１０側から上に向かうにつれて漸次拡径し、上端部２０ｄが刷毛束３０に接触するテーパー状であっても構わない。図４，５に示す注出部２０においても、注出口２１を鉛直方向の下向きに配置して内容液を皮膚に注出した後に注出口２１を斜め下または横に向けた際に、注出部２０の上面２０ｂに残留していた内容液を刷毛束３０により捕捉することができるため、液垂れを防止できる。
また、本発明では、植毛部４０に液垂れ防止壁４２が設けられていなくても構わない。
また、刷毛束３０を構成する刷毛がテーパー毛でなく、太さが一定のストレート毛であっても構わない。
また、注出部２０は、円柱状でなくてもよく、例えば、角柱状（例えば、四角柱状、五角柱状、六角柱状、八角柱状等）であっても構わない。
また、弁機構５０は、例えば、特許文献１，２に記載のものであっても構わない。
【実施例】
【００２２】
（実施例１）
図１に示すブラシ付き塗布容器を用いた。すなわち、容器本体１０と注出部２０と刷毛束３０と植毛部４０とを具備し、植毛部４０に液垂れ防止壁４２が設けられたブラシ付き塗布容器１を用いた。容器本体１０には育毛剤を収容し、注出部２０の注出口２１の開口径を２ｍｍとした。
【００２３】
（実施例２）
植毛部４０に液垂れ防止壁４２を設けなかった以外は実施例１と同様のブラシ付き塗布容器２（図６参照）を用いた。
【００２４】
（比較例１）
容器本体１０のみからなり、頸部１２における開口部１２ａの開口径を２ｍｍとした容器３（図７参照）を使用した。
【００２５】
（比較例２）
注出部２０の外径が５ｍｍであり、注出部２０の側面２０ａの上面側に刷毛束３０が接触していないこと以外は実施例１と同様のブラシ付き塗布容器４（図８参照）を用いた。
【００２６】
［評価］
各実施例および各比較例のブラシ付き塗布容器１，２，４または容器３に収容した内容液を、生え際および頭皮に塗布し、注出口２１を真下に向けた際の液垂れ、注出口２１を斜め下に向けた際の液垂れ、注出口２１を真下に向けた後に斜め上に向けた際の液垂れを、下記の基準で評価した。評価結果を表１に示す。
◎：１０回の塗布のうち、液垂れの発生回数が０〜１回。
○：１０回の塗布のうち、液垂れの発生回数が２〜３回。
△：１０回の塗布のうち、液垂れの発生回数が４〜５回。
×：１０回の塗布のうち、液垂れの発生回数が６〜１０回。
【００２７】
【表１】
2011167389.tif 000003
【００２８】
注出部２０の側面２０ａの上端に刷毛束３０が接触している実施例１，２のブラシ付き塗布容器１，２では、注出口２１を鉛直方向の下向きに配置して育毛剤を頭皮に注出した後に注出口２１を斜め下に向けた際の液垂れが防止されていた。
また、植毛部４０に液垂れ防止壁４２を設けた実施例１のブラシ付き塗布容器１では、注出口２１を斜め上に向けた際の液垂れも防止されていた。
注出部２０および刷毛束３０を具備しない比較例１の容器３、注出部２０の側面２０ａの上端に刷毛束３０が接触していない比較例２のブラシ付き塗布容器４では、注出口２１を鉛直方向の下向きに配置して育毛剤を頭皮に注出した後に注出口２１を斜め下に向けた際に液垂れが生じた。
【産業上の利用可能性】
【００２９】
本発明のブラシ付き塗布容器は、例えば、毛髪を掻き分け頭皮に薬剤を塗る用途、額や生え際に刷毛でマッサージをしながら薬剤を塗る用途、皮膚に薬液を擦り塗る用途、衣類や布、靴、タイル目地、床等に洗剤を擦り擦り塗る用途に好適に使用することができる。
【符号の説明】
【００３０】
１，２，４  ブラシ付き塗布容器
１０  容器本体
１１  胴部
１２  頸部
２０  注出部
２０ａ  側面
２０ｂ  上面
２１  注出口
３０  刷毛束
４０  植毛部
４１  植毛面
４２  液垂れ防止壁
５０  弁機構
５１  内容液注出用貫通孔
５１ａ  第１の孔
５１ｂ  第２の孔
５１ｃ  第３の孔
５２  可動ロッド
５２ａ  ロッド本体部
５２ｂ  拡径部
【図１】
2011167389.tif 000004
【図２】
2011167389.tif 000005
【図３】
2011167389.tif 000006
【図４】
2011167389.tif 000007
【図５】
2011167389.tif 000008
【図６】
2011167389.tif 000009
【図７】
2011167389.tif 000010
【図８】
2011167389.tif 000011